【手続補正書】
【提出日】平成23年9月28日(2011.9.28)
【手続補正１】
【補正対象書類名】特許請求の範囲
【補正対象項目名】全文
【補正方法】変更
【補正の内容】
【特許請求の範囲】
【請求項１】
抵抗膜方式タッチスクリーンとともに使用されるタッチスクリーンドライバにおいて、
前記抵抗膜方式タッチスクリーンに接続された入出力モジュールであって、該入出力モジュールは、抵抗膜方式タッチスクリーンの複数の入出力ポートのうちの少なくとも１つに少なくとも１つの入力信号を供給するとともに、少なくとも１つの前記入力信号に応じて、少なくとも１つの制御信号に従い、少なくとも１つの出力信号を生成する、前記入出力モジュールと、
前記入出力モジュールに接続されたコントローラモジュールであって、該コントローラモジュールは、少なくとも１つの制御信号を生成するとともに、抵抗膜方式タッチスクリーンの複数の同時タッチに従い検出位置を表す位置信号を生成する、前記コントローラモジュールと、
を含む、タッチスクリーンドライバ。
【請求項２】
前記検出位置は、複数の同時タッチのうちの第１のタッチの位置と複数の同時タッチのうちの第２のタッチの位置とを含み、
前記コントローラモジュールは、
前記第１のタッチおよび前記第２のタッチの間の中心を生成することと、
前記第１のタッチおよび前記第２のタッチの間の距離を生成することと、
前記中心および前記距離に基づき、更に明確化処置に基づき前記第１のタッチの位置を生成することと、
前記中心および前記距離に基づき、更に明確化処置に基づき前記第２のタッチの位置を決定することと、
によって前記検出位置を生成する、請求項１に記載のタッチスクリーンドライバ。
【請求項３】
複数の前記入出力ポートは、複数の前記Ｘパネルポートと複数の前記Ｙパネルポートとを含み、少なくとも１つの前記制御信号は、第１制御信号と第２制御信号とを含み、少なくとも１つの前記出力信号は、１つの第１出力信号と１つの第２出力信号とを含み、
前記コントローラモジュールによって実行される前記明確化処置は、
複数の前記Ｘパネルポートのうちの第１ポートと複数の前記Ｙパネルポートのうちの第２ポートとの間のインピーダンスに基づき、前記第１出力信号を生成することを含み、更に、
複数の前記Ｘパネルポートのうちの第１ポートと複数の前記Ｙパネルポートのうちの第３ポートとの間のインピーダンスに基づき、前記第２出力信号を生成することと、
複数の前記Ｘパネルポートのうちの第３ポートと複数の前記Ｙパネルポートのうちの第２ポートとの間のインピーダンスに基づき、前記第２出力信号を生成することと、
のうちの少なくとも１つを更に含む、請求項２に記載のタッチスクリーンドライバ。
【請求項４】
前記コントローラモジュールによって実行される前記明確化処置は、
前記第１のタッチの位置の第１の候補および第２の候補を生成することと、
前記第１出力信号と前記第２出力信号との比較を行うことと、
前記第１出力信号と前記第２出力信号との比較が好ましくない場合に前記第１のタッチの位置についての前記第１の候補を選択することと、
前記第１出力信号と前記第２出力信号との比較が好ましい場合に前記第１のタッチの位置についての前記第２の候補を選択することと、
を更に含む、請求項３に記載のタッチスクリーンドライバ。
【請求項５】
複数の前記入出力ポートは、Ｘ＋ポートと、Ｘ−ポートと、Ｙ＋ポートと、Ｙ−ポートとを含み、少なくとも１つの前記出力信号は、１つの第１出力信号と、１つの第２出力信号と、１つの第３出力信号と、１つの第４出力信号とを含み、
前記コントローラモジュールによって実行される前記明確化処置は、
前記Ｘ＋ポートと前記Ｙ−ポートとの間のインピーダンスに基づき、１つの前記第１出力信号を生成することと、
前記Ｘ−ポートと前記Ｙ＋ポートとの間のインピーダンスに基づき、１つの前記第２出力信号を生成することと、
前記Ｘ＋ポートと前記Ｙ＋ポートとの間のインピーダンスに基づき、１つの前記第３出力信号を生成することと、
前記Ｘ−ポートと前記Ｙ−ポートとの間のインピーダンスに基づき、１つの前記第４出力信号を生成することと、
前記第１出力信号と前記第２出力信号との合計値に基づき、第１の合計値を生成することと、
前記第３出力信号と前記第４出力信号との合計値に基づき、第２の合計値を生成することと、
前記第１のタッチの位置についての第１の候補および第２の候補を生成することと、
前記第１の合計値と前記第２の合計値との比較を行うことと、
前記第１の合計値と前記第２の合計値との比較が好ましくない場合に前記第１のタッチの位置についての前記第１の候補を選択することと、
前記第１の合計値と前記第２の合計値との比較が好ましい場合に前記第１のタッチの位置についての前記第２の候補を選択することと、
を含む、請求項２に記載のタッチスクリーンドライバ。
【請求項６】
抵抗膜方式タッチスクリーンとともに使用される方法であって、
前記抵抗膜方式タッチスクリーンの複数の入出力ポートのうちの少なくとも１つに対し、少なくとも１つの入力信号を生成する工程と、
少なくとも１つの前記入力信号に応じて少なくとも１つの出力信号を生成する工程と、
前記抵抗膜方式タッチスクリーンの複数の同時タッチに従い検出位置を表す位置信号を、少なくとも１つの前記出力信号に基づき生成する工程と、
を含む、方法。
【請求項７】
前記検出位置は、複数の同時タッチのうちの第１のタッチの位置と、複数の同時タッチのうちの第２のタッチの位置とを含み、
前記位置信号を生成する工程は、
前記第１のタッチおよび前記第２のタッチの間の中心を生成する工程と、
前記第１のタッチおよび前記第２のタッチの間の距離を生成する工程と、
前記中心および前記距離に基づき、更に明確化処置に基づき前記第１のタッチの位置を生成する工程と、
前記中心および前記距離に基づき、更に明確化処置に基づき前記第２のタッチの位置を生成する工程と、
を含む、請求項６に記載の方法。
【請求項８】
複数の前記入出力ポートは、複数のＸパネルポートと複数のＹパネルポートとを含み、
少なくとも１つの前記出力信号を生成する工程は、複数の前記Ｘパネルポートのうちの第１のポートと複数の前記Ｙパネルポートのうちの第２のポートとの間のインピーダンスに基づき、第１出力信号を生成する工程を含み、
前記少なくとも１つの出力信号を生成する工程は、
複数の前記Ｘパネルポートのうちの第１ポートと複数の前記Ｙパネルポートのうちの第３ポートとの間のインピーダンスに基づき、前記第２出力信号を生成する工程と、
複数の前記Ｘパネルポートのうちの第３ポートと複数の前記Ｙパネルポートのうちの第２ポートとの間のインピーダンスに基づき、前記第２出力信号を生成する工程と、
のうちの少なくとも１つを更に含む、請求項７に記載の方法。
【請求項９】
前記明確化処置は、
前記第１のタッチの位置についての第１の候補および第２の候補を生成する工程と、
前記第１出力信号と前記第２出力信号との比較を行う工程と、
前記第１出力信号と前記第２出力信号との比較が好ましくない場合に前記第１のタッチの位置についての前記第１の候補を選択する工程と、
前記第１出力信号と前記第２出力信号との比較が好ましい場合に前記第１のタッチの位置についての前記第２の候補を選択する工程と、
を含む、請求項８に記載の方法。
【請求項１０】
複数の前記入出力ポートは、Ｘ＋ポートと、Ｘ−ポートと、Ｙ＋ポートと、Ｙ−ポートとを含み、少なくとも１つの前記出力信号は、１つの第１出力信号と、１つの第２出力信号と、１つの第３出力信号と、１つの第４出力信号とを含み、
前記明確化処置は、
前記Ｘ＋ポートと前記Ｙ−ポートとの間のインピーダンスに基づき、１つの前記第１出力信号を生成する工程と、
前記Ｘ−ポートと前記Ｙ＋ポートとの間のインピーダンスに基づき、１つの前記第２出力信号を生成する工程と、
前記Ｘ＋ポートと前記Ｙ＋ポートとの間のインピーダンスに基づき、１つの前記第３出力信号を生成する工程と、
前記Ｘ−ポートと前記Ｙ−ポートとの間のインピーダンスに基づき、１つの前記第４出力信号を生成する工程と、
前記第１出力信号と前記第２出力信号との合計値に基づき、第１の合計値を生成する工程と、
前記第３出力信号と前記第４出力信号との合計値に基づき、第２の合計値を生成する工程と、
前記第１のタッチの位置についての第１の候補および第２の候補を生成する工程と、
前記第１の合計値と前記第２の合計値との比較を行う工程と、
前記第１の合計値と前記第２の合計値との比較が好ましくない場合に前記第１のタッチの位置についての前記第１の候補を選択する工程と、
前記第１の合計値と前記第２の合計値との比較が好ましい場合に前記第１のタッチの位置についての前記第２の候補を選択する工程と、
を含む、請求項７に記載の方法。